(57)【要約】【課題】画面の側方と正面方向とで画素の色座標値の変化を防止して側面視認性を更に改善できる表示装置、を提供する。【解決手段】本発明による表示装置では、表示パネルが、同じ画素領域に形成された一対のピクセル（ハイピクセルとローピクセル）を含む。駆動部は、指定された階調に対する輝度が比較的高いハイピクセルガンマ曲線と比較的低いローピクセルガンマ曲線とのそれぞれに対応するデータをＲＧＢごとに保持する。駆動部は更に、外部から提供される第１画像信号に基づき、ハイピクセルガンマ曲線に対応するデータを用いて第２画像信号を生成してハイピクセルに出力し、ローピクセルガンマ曲線に対応するデータを用いて第３画像信号を生成してローピクセルに出力する。特に低輝度領域では、ローピクセルガンマ曲線がＲＧＢ間で同一である。【選択図】図5
2007226242.tif 000002
【特許請求の範囲】
【請求項１】
同じ画素領域に形成された一対のピクセル（以下、一方をハイピクセルといい、他方をローピクセルという）、を含む表示パネル、及び、
指定された階調に対する輝度が比較的高いガンマ曲線（以下、ハイピクセルガンマ曲線という）と比較的低いガンマ曲線（以下、ローピクセルガンマ曲線という）とのそれぞれに対応するデータをＲＧＢごとに保持し、外部から提供される第１画像信号に基づき、前記ハイピクセルガンマ曲線に対応するデータを用いて第２画像信号を生成して前記ハイピクセルに出力し、前記ローピクセルガンマ曲線に対応するデータを用いて第３画像信号を生成して前記ローピクセルに出力する駆動部、
を有する表示装置であり、
輝度が所定値より低い領域（以下、低輝度領域という）では前記ローピクセルガンマ曲線がＲＧＢ間で同一である、表示装置。
【請求項２】
前記駆動部が、
前記ハイピクセルガンマ曲線に対応するデータを用いて前記第１画像信号から第１画像データを生成し、前記ローピクセルガンマ曲線に対応するデータを用いて前記第１画像信号から第２画像データを生成するタイミング制御部、及び、
前記第１画像データを前記第２画像信号に変換し、前記第２画像データを前記第３画像信号に変換するデータ駆動部、
を含む、請求項１に記載の表示装置。
【請求項３】
前記ハイピクセルガンマ曲線と前記ローピクセルガンマ曲線とのそれぞれに対応するデータをＲＧＢごとに保持する保持部、を更に有する、請求項２に記載の表示装置。
【請求項４】
前記表示パネルが、前記画素領域を区切るゲートラインとデータライン、を含む、請求項２に記載の表示装置。
【請求項５】
前記ハイピクセルが、
ゲートラインと奇数番目のデータラインとに連結された第１スイッチング素子、及び、
前記第１スイッチング素子に連結された第１液晶キャパシタ、
を含む、請求項４に記載の表示装置。
【請求項６】
前記ローピクセルが、
前記第１スイッチング素子に連結されたゲートラインとは異なるゲートラインと偶数番目のデータラインとに連結された第２スイッチング素子、及び、
前記第２スイッチング素子に連結された第２液晶キャパシタ、
を含む、請求項５に記載の表示装置。
【請求項７】
前記駆動部が、
前記第１画像信号から画像データを生成するタイミング制御部、及び、
前記ハイピクセルガンマ曲線に対応するデータを用いた補正により前記画像データを前記第２画像信号に変換し、前記ローピクセルガンマ曲線に対応するデータを用いた補正により前記画像データを前記第３画像信号に変換するデータ駆動部、
を含む、請求項１に記載の表示装置。
【請求項８】
前記駆動部が、
前記ハイピクセルガンマ曲線と前記ローピクセルガンマ曲線とのそれぞれに対応するデータをＲＧＢごとに保持する保持部、及び、
前記タイミング制御部に従い、前記保持部によって保持されたデータを前記データ駆動部に出力するスイッチング部、
を更に含む、請求項７に記載の表示装置。
【請求項９】
前記データ駆動部が、前記保持部によって保持されたデータを用いて前記画像データを補正する、請求項８に記載の表示装置。
【請求項１０】
前記表示パネルが、前記画素領域を区切るゲートラインとデータライン、を含み、
前記ハイピクセルが、
奇数番目のゲートラインとデータラインとに連結された第１スイッチング素子、及び、
前記第１スイッチング素子に連結された第１液晶キャパシタ、
を含む、
請求項７に記載の表示装置。
【請求項１１】
前記ローピクセルが、
偶数番目のゲートラインとデータラインとに連結された第２スイッチング素子、及び、
前記第２スイッチング素子に連結された第２液晶キャパシタ、
を含む、請求項１０に記載の表示装置。
【請求項１２】
前記駆動部が、
前記ハイピクセルガンマ曲線に対応するデータをＲＧＢごとに保持する第１保持部、
前記ローピクセルガンマ曲線に対応するデータをＲＧＢごとに保持する第２保持部、及び、
前記タイミング制御部に従い、前記第１保持部によって保持されたデータと前記第２保持部によって保持されたデータとのいずれかを前記データ駆動部に出力するスイッチング部、
を更に含み、
前記データ駆動部が、前記第１保持部によって保持されたデータを用いた補正により前記画像データを前記第２画像信号に変換し、前記第２保持部によって保持されたデータを用いた補正により前記画像データを前記第３画像信号に変換する、
請求項７に記載の表示装置。
【請求項１３】
前記ローピクセルガンマ曲線の低輝度領域では、前記ローピクセルの輝度が最高値の約10％以下である、請求項１に記載の表示装置。
【発明の詳細な説明】
【技術分野】
【０００１】
本発明は表示装置に関し、特に同じ画素に輝度の異なる領域を含む表示装置に関する。
【背景技術】
【０００２】
液晶表示装置（ＬＣＤ）は、二枚の基板間に挟まれた液晶層に対して電圧を印加して液晶分子を所定の方向に整列させ、その光透過率を制御することにより画像を表示する。液晶層の液晶分子による光の遮蔽具合が方向に依存するので、液晶表示装置は他の表示装置に比べて視野角が一般に狭い。
【０００３】
視野角を拡大させるための手段としては、垂直配向（Vertically  Aligned、ＶＡ）モードの液晶表示装置が開発されている。ＶＡモードの液晶表示装置では、各基板が垂直配向処理されている。更に、それら二枚の基板間に、誘電率異方性が負である液晶層が密封されている。それにより、液晶層の液晶分子が垂直配向の性質を示す。二枚の基板間に対して電圧が印加されていない状態の画素では、液晶分子が各基板の表面に対してほぼ垂直方向に整列するので、その画素の輝度がブラックを示す。二枚の基板間に電圧が印加されている状態の画素では、液晶分子が各基板の表面に対してほぼ垂直な方向から斜めに傾くので、その画素の輝度が上昇する。二枚の基板間に対して印加される電圧が高いほど、液晶分子が大きく傾くので、その画素の輝度は高い。液晶分子が各基板の表面に対してほぼ水平方向に整列すると、その画素の輝度はホワイトを示す。
【０００４】
一般に中型／小型の液晶表示装置では特に視野角が狭く、側方では各画素の階調が反転しやすい。これを解決するための手段として、それらの液晶表示装置では特にＰＶＡ（Patterned  Vertically  Alignment）構造が採用されている。ＰＶＡモードの液晶表示装置では、カラーフィルタ基板の共通電極層とアレイ基板の画素電極層とのそれぞれがパターン化され、それにより、各画素領域が複数のドメインに分けられている。液晶分子の配向方向がドメインごとに異なるので、視野角が拡大され、特に階調の反転が抑えられる。
【０００５】
近年では視野角の更なる改善のために、スーパーＰＶＡ（以下、ＳＰＶＡと称する）モードの液晶表示装置が開発されている。ＳＰＶＡモードの液晶表示装置では、メインピクセルとサブピクセルとが一つの画素領域内に形成されている。更に、指定された画素の階調に対し、メインピクセルとサブピクセルとでは印加される電圧が異なるので、輝度が異なる。以下、比較的高い輝度の方をハイピクセルといい、低い方をローピクセルという。ＳＰＶＡモードの液晶表示装置においては、ハイピクセルとローピクセルとで液晶分子の配向方向だけでなく分布特性（特に、指定された階調と実際の配向状態との間の関係）が異なるので、視野角が拡大するだけでなく、側面視認性が改善される。
【発明の開示】
【発明が解決しようとする課題】
【０００６】
しかし、従来のＳＰＶＡモードの液晶表示装置では、画面を観察する方向を正面から側方に移すにつれて色が黄色く変わる現象（黄色化現象）が一般に発生する。すなわち、各階調での色座標値が以下に示すように、側方では正面方向より黄色の方にシフトする。
図1は正面方向での階調と色座標値との間の関係を示すグラフである。図2は側方での階調と色座標値との間の関係を示すグラフである。
図1に示したように、指定される階調に応じ、正面方向で観測されるx色座標値は0.265〜0.28の範囲で変化し、正面方向で観測されるy色座標値は0.23〜0.288の範囲で変化する。代表的な色座標値は表1のとおりである。
【０００７】
【表１】
2007226242.tif 000003
【０００８】
図2に示したように、指定される階調に応じ、側方で観測されるx色座標値は0.27〜0.29の範囲で変化し、y色座標値は0.26〜0.30の範囲で変化する。代表的な色座標値は表2のとおりである。
【０００９】
【表２】
2007226242.tif 000004
【００１０】
表1と表2とを比較すれば明らかなとおり、各階調について、側方における色座標値は正面方向における色座標値に比べ、一般に高い。このことは、側方では正面方向より黄色成分がより多く観測されていることを示す。
【００１１】
正面方向と側方とで色座標値が異なる理由は、同じ画素領域に含まれるハイピクセルとローピクセルとでＲＧＢそれぞれのガンマ曲線が異なるためである。
図3は、従来のＳＰＶＡモード液晶表示装置で利用されている二種類のガンマ曲線群を示すグラフである。図4は、図3に示されているガンマ曲線群を、透過率0.1以下の領域で拡大した図である。図3、4では、各階調に対する透過率（輝度）が比較的高いＲＧＢのガンマ曲線群Aがハイピクセルに対するものであり、比較的低いＲＧＢのガンマ曲線群Bがローピクセルに対するものである。
【００１２】
従来のＳＰＶＡモード液晶表示装置では、図3及び図4に示されているとおり、ローピクセルに対するガンマ曲線群Bが低輝度領域（すなわち、画素の透過率（輝度）が下限0にごく近い、階調値511の近傍以下の領域）においてもＲＧＢ間で異なる。画面を側方から観察する場合、特にこの低輝度領域でのローピクセルガンマ曲線群Bによる画素の透過率（輝度）が支配的である。従って、図4に示したようなＲＧＢ間でのガンマ曲線の相違が、画面の側方で画素の色変化を誘発する。
本発明はこの点に着眼したものである。本発明の目的は、画面の側方と正面方向とで画素の色座標値の変化を防止して側面視認性を更に改善できる表示装置、を提供することにある。
【課題を解決するための手段】
【００１３】
本発明による表示装置は表示パネル及び駆動部を有する。表示パネルは、同じ画素領域に形成された一対のピクセル、すなわち、ハイピクセルとローピクセルとを含む。駆動部は、指定された階調に対する輝度が比較的高いガンマ曲線（以下、ハイピクセルガンマ曲線という）と比較的低いガンマ曲線（以下、ローピクセルガンマ曲線という）とのそれぞれに対応するデータをＲＧＢごとに保持する。駆動部は更に、外部から提供される第１画像信号に基づき、ハイピクセルガンマ曲線に対応するデータを用いて第２画像信号を生成してハイピクセルに出力し、ローピクセルガンマ曲線に対応するデータを用いて第３画像信号を生成してローピクセルに出力する。特に、輝度が所定値より低い領域（以下、低輝度領域という）ではローピクセルガンマ曲線がＲＧＢ間で同一である。すなわち、低輝度領域では、外部から指定された階調値ごとにＲＧＢの各ローピクセルの輝度が一致する。ここで、低輝度領域では好ましくは、ローピクセルの輝度が最高値の約10％以下である。
【００１４】
好ましくは、駆動部がタイミング制御部及びデータ駆動部を含む。タイミング制御部は好ましくは、ハイピクセルガンマ曲線に対応するデータを用いて第１画像信号から第１画像データを生成し、ローピクセルガンマ曲線に対応するデータを用いて第１画像信号から第２画像データを生成する。データ駆動部は、第１画像データを第２画像信号に変換し、第２画像データを第３画像信号に変換する。
【００１５】
その他に、タイミング制御部が第１画像信号から画像データを生成し、データ駆動部が、ハイピクセルガンマ曲線に対応するデータを用いた補正により画像データを第２画像信号に変換し、ローピクセルガンマ曲線に対応するデータを用いた補正により画像データを第３画像信号に変換しても良い。その場合、好ましくは、駆動部が保持部とスイッチング部とを更に含む。保持部は、ハイピクセルガンマ曲線とローピクセルガンマ曲線とのそれぞれに対応するデータをＲＧＢごとに保持する。スイッチング部は、タイミング制御部に従い、保持部によって保持されたデータをデータ駆動部に出力する。
【発明の効果】
【００１６】
本発明による表示装置は、各画素領域をハイピクセルとローピクセルとの対に分け、異なるガンマ曲線を用いて各ピクセルの輝度を個別に調整する。特に、指定された各階調に対し、ハイピクセルの輝度をローピクセルの輝度より高く設定する。それにより、画面の視野角が広く、かつ側面視認性が高い。本発明による表示装置は更に、低輝度領域ではＲＧＢのローピクセルガンマ曲線を一致させる。それにより、画面の側方では、各階調での画素の色座標値が正面方向での色座標値とほぼ等しく維持され、特に黄色成分の増大が抑えられる。その結果、側面視認性が更に向上する。
【発明を実施するための最良の形態】
【００１７】
以下、添付の図面を参照しながら、本発明の好適な実施例について詳細に説明する。
図5は、本発明の一実施例による液晶表示装置のブロック図である。図5に示されているように、その液晶表示装置100は、液晶表示パネル110、保持部120、タイミング制御部130、ゲート駆動部140、及びデータ駆動部150を含む。
【００１８】
液晶表示パネル110はq本のゲートラインとp本のデータラインとを含む。ゲートラインとデータラインとは各画素領域を区切っている。各画素領域にはハイピクセルとローピクセルとが形成されている。ハイピクセルは、第１スイッチング素子Th、第１液晶キャパシタClch、及び第１ストレージキャパシタCsthを含む。n行目（n＝1、2、…、q）のハイピクセルでは、第１スイッチング素子Thがn番目のゲートラインと奇数番目のデータラインとに連結されている。第１液晶キャパシタClch及び第１ストレージキャパシタCsthは第１スイッチング素子Thに連結されている。ローピクセルは、第２スイッチング素子Tl、第２液晶キャパシタClcl、及び第２ストレージキャパシタCstlを含む。n行目（n＝1、2、…、q）のローピクセルでは、第２スイッチング素子Tlがn＋1番目のゲートラインと偶数番目のデータラインとに連結されている。第２液晶キャパシタCLcl及び第２ストレージキャパシタCstlは第２スイッチング素子Tlに連結されている。
【００１９】
保持部120は好ましくは第１保持部122と第２保持部124とを含む。第１保持部122は、ハイピクセルに対するガンマ曲線（以下、ハイピクセルガンマ曲線という）に対応するデータをＲＧＢごとに保持する。第２保持部124は、ローピクセルに対するガンマ曲線（以下、ローピクセルガンマ曲線という。図6に示されている曲線群B参照）に対応するデータをＲＧＢごとに保持する。好ましくは、第１保持部122では、赤色（Ｒ）のガンマ曲線に対応するデータが第１ルックアップテーブルLUT−Rとして保持され、緑色（Ｇ）のガンマ曲線に対応するデータが第２ルックアップテーブルLUT−Gとして保持され、青色（Ｂ）のガンマ曲線に対応するデータが第３ルックアップテープルLUT−Bとして保持されている。一方、第２保持部124では、赤色（Ｒ）のガンマ曲線に対応するデータが第４ルックアップテーブルLUT−Rとして保持され、緑色（Ｇ）のガンマ曲線に対応するデータが第５ルックアップテーブルLUT−Gとして保持され、青色（Ｂ）のガンマ曲線に対応するデータが第６ルックアップテーブルLUT−Bとして保持されている。特に第２保持部124に保持されたルックアップテーブルは、「ＲＧＢの各ローピクセルガンマ曲線が低輝度領域（すなわち、画素の透過率（輝度）が0に近い、階調値511の近傍以下の領域）で同一であること」を示している。その結果、低輝度領域ではローピクセルの透過率（輝度）が、図6に示されているようにＲＧＢ間で同一である。ここで、その低輝度領域では好ましくは、図6に示されているように、ローピクセルの透過率が約0.1以下であり、すなわちローピクセルの輝度が最高値の約10％以下である。
【００２０】
タイミング制御部130は、外部のグラフィックコントローラ（図示せず）から第１画像信号R、G、Bと第１タイミング信号S1とを受信する。第１タイミング信号S1は、水平同期信号、垂直同期信号、データイネーブル信号、及びメインクロックを含む。タイミング制御部130は更に、第１保持部122に保持されたハイピクセルガンマ曲線に対応するデータを用いて第１画像信号R、G、Bから第１画像データRH、GH、BHを生成し、第２保持部124に保持されたローピクセルガンマ曲線に対応するデータを用いて第１画像信号R、G、Bから第２画像データRL、GL、BLを生成する。タイミング制御部130は続いて第２タイミング信号S2を生成し、第１画像データRH、GH、BH、又は第２画像データRL、GL、BLと共にデータ駆動部150に出力する。第２タイミング信号S2はロード信号及び水平開始信号を含む。それらの動作と平行し、タイミング制御部130は第３タイミング信号S3を生成してゲート駆動部140に出力する。第３タイミング信号S3はゲートクロック及び垂直開始信号を含む。
【００２１】
ゲート駆動部140は、第３タイミング信号S3に従い、q本のゲートラインに対してゲート信号G1、G2、…、Gq−1、Gqを順番に出力する。
データ駆動部150は、第２タイミング信号S2に従い、第１画像データRH、GH、BH、又は第２画像データRL、GL、BLをデータ電圧D1、D2、…、Dpに変換する。第１画像データRH、GH、BHから変換されたデータ電圧D1、D3、…、は奇数番目のデータラインに出力され、第２画像データRL、GL、BLから変換されたデータ電圧D2、D4、…、は偶数番目のデータラインに出力される。隣接する二本のデータライン間、又は連続する二つのフレーム間では好ましくは、共通電圧Vcomに対するデータ電圧の極性が反転する。
【００２２】
液晶表示装置100は好ましくは、電源部（図示せず）を更に有する。その場合、タイミング制御部130は更に別のタイミング信号（図示せず）を生成する。電源部はそのタイミング信号に従い、ゲートオン電圧とゲートオフ電圧とをゲート駆動部140に提供する。電源部は更に、ゲート信号G1、G2、…、Gq−1、Gqに同期して共通電圧Vcomを液晶表示パネル110の各液晶キャパシタClch、Clclに対して印加する。
【００２３】
以上の構成を利用し、液晶表示装置100は、各画素領域に含まれるハイピクセルとローピクセルとのそれぞれの透過率を、異なるガンマ曲線に従って個別に調整する。特に、指定された各階調に対し、ハイピクセルの輝度をローピクセルの輝度より高く設定する。それにより、画面の視野角が広く、かつ側面視認性が高い。液晶表示装置100は更に、低輝度領域ではＲＧＢの各ローピクセルガンマ曲線に対応するデータを一致させる。それにより、次に示す通り、画面の側方ではx、y色座標値が従来の表示装置でのものより低い。その結果、側方での黄色化現象が防止される。
【００２４】
図7は、本発明の実施例による上記の液晶表示装置100の画素について、指定された階調値と、画面の側方で観測された色座標値との間の関係を示すグラフである。図7に示されているように、指定された階調に応じ、側方で観測されるx色座標値は0.278〜0.294の範囲で変化し、y色座標値は0.26〜0.293の範囲で変化する。代表的な色座標値は表3のとおりである。
【００２５】
【表３】
2007226242.tif 000005
【００２６】
図2と図7との比較、及び、表2と表3との比較から明らかなとおり、本発明の実施例による液晶表示装置100では従来の液晶表示装置より、側方で観測されるx、y色座標値がいずれも一般に低い。すなわち、側方での黄色化現象（yellowish）が抑えられている。
【００２７】
以下、図8〜図11を参照しながら、各ルックアップテーブルに保持されるべきデータの生成過程について説明する。
図8に示されている標準のガンマ曲線は、仮に、同じ画素領域に含まれるハイピクセル及びローピクセルに同一の電圧を印加した場合での、指定された階調とその画素の透過率（輝度）との間の関係を示している。尚、標準のガンマ曲線は実際には、ＲＧＢ間で一般に異なる。上記のルックアップテーブルの生成では、まず、図8に示されている標準のガンマ曲線から、階調と透過率（輝度）とのデータの対が抽出される。ここで、各階調値を表すビットはディザリングによって拡張される。例えば、階調値が8ビット（すなわち、0〜255）で表されている場合、階調値90及び91の間を更に、90.25、90.5、及び90.75に細かく分けるには、ディザリングで8ビットを10ビットに拡張する。それにより、8ビットの階調値90、90.25、90.5、90.75、及び91は順に、10ビットの階調値360、361、362、363、及び364に変換される。尚、図6では階調値が10ビットで表されているので、中央の階調値511は8ビットの階調値127.75に対応する。
【００２８】
次に、側面視認性が最適になるように、図9に示されている目標のローピクセルガンマ曲線（B−ターゲット）が設定される。その後、目標のローピクセルガンマ曲線（B−ターゲット）と正面方向での目標のガンマ曲線（正面−ターゲット）とを用い、目標のハイピクセルガンマ曲線（A−ターゲット）が設定される。
【００２９】
続いて、目標のハイピクセルガンマ曲線及びローピクセルガンマ曲線のそれぞれから透過率（輝度）が、指定された階調別に抽出される。更に、抽出された各透過率（輝度）に最も近似する透過率（輝度）と、それに対応する階調値との対が、標準のガンマ曲線から得られた（ビットが拡張された）データの中から選択される。こうして選択された階調値と、指定された元の階調値との間の関係が、ルックアップテーブルの形態で保持部120によって保持される。
【００３０】
例えば、指定された（8ビットの）階調値が128であるとき、ハイピクセルガンマ曲線から抽出される透過率は0.6にごく近い（図10の点PH参照）。一方、標準のガンマ曲線から得られたデータの中では、抽出された透過率（≒0.6）に最も近い透過率に対応する階調値が205.25（10ビットでは821）である（図10の点QH参照）。従って、ハイピクセルガンマ曲線から得られるべきルックアップテーブルでは、指定された階調値128に対する階調値として821が記録される。
【００３１】
指定された（8ビットの）階調値が128であるとき、ローピクセルガンマ曲線から抽出される透過率は0.04にごく近い（図10の点PL参照）。一方、標準のガンマ曲線から得られたデータの中では、抽出された透過率（≒0.04）に最も近い透過率に対応する階調値が66（10ビットでは264）である（図10の点QL参照）。従って、ローピクセルガンマ曲線から得られるべきルックアップテーブルでは、指定された階調値128に対する階調値として264が記録される。
【００３２】
以上の操作がＲＧＢごとに実行される。ここで、低輝度領域では目標のローピクセルガンマ曲線をＲＧＢ間で一致させる。好ましくは、ローピクセルの透過率が約0.1以下、すなわちローピクセルの輝度が最高値の約10％以下の領域が低輝度領域として設定される（図6参照）。こうして、上記の第１〜６ルックアップテーブルが設定され、各保持部122、124によって保持される。
図11は、このように設定されたルックアップテーブルの一例を示す。図11では、指定された（8ビットの）階調値0〜255のそれぞれに対し、第１ルックアップテーブルに記録された（10ビットの）階調値（レッドのA）、第４ルックアップテーブルに記録された（10ビットの）階調値（レッドのB）、第２ルックアップテーブルに記録された（10ビットの）階調値（グリーンのA）、第５ルックアップテーブルに記録された（10ビットの）階調値（グリーンのB）、第３ルックアップテーブルに記録された（10ビットの）階調値（ブルーのA）、及び第６ルックアップテーブルに記録された（10ビットの）階調値（ブルーのB）が示されている。すなわち、ＲＧＢそれぞれについて、ハイピクセルガンマ曲線から得られたデータがA列に示され、ローピクセルガンマ曲線から得られたデータがB列に示されている。  特に、ローピクセルに対するＲＧＢの各階調値は、低階調領域で、指定された階調値ごとにＲＧＢの各ローピクセルの透過率（輝度）が同一であることに対応している（図6参照）。
【００３３】
図12は、本発明の他の実施例による液晶表示装置のブロック図である。図12に示されているように、その液晶表示装置200は、液晶表示パネル210、第１保持部220、第２保持部230、タイミング制御部250、スイッチング部260、第１ゲート駆動部270、第２ゲート駆動部280、及びデータ駆動部290を含む。
【００３４】
液晶表示パネル210はq本のゲートラインとp本のデータラインとを含む。ゲートラインとデータラインとは各画素領域を区切っている。各画素領域にはハイピクセルとローピクセルとが形成されている。ハイピクセルは、第１スイッチング素子Th、第１液晶キャパシタClch、及び第１ストレージキャパシタCsthを含む。第１スイッチング素子Thは奇数番目のゲートラインとデータラインの一つとに連結されている。第１液晶キャパシタCLch及び第１ストレージキャパシタCsthは第１スイッチング素子Thに連結されている。ローピクセルは、第２スイッチング素子Tl、第２液晶キャパシタClcl、及び第２ストレージキャパシタCstlを含む。第２スイッチング素子Tlは偶数番目のゲートラインとデータラインの一つとに連結されている。各画素領域では、第１スイッチング素子Thと第２スイッチング素子Tlとが同じデータラインに連結されている。第２液晶キャパシタClcl及び第２ストレージキャパシタCstlは第２スイッチング素子Tlに連結されている。
【００３５】
第１保持部220は、ハイピクセルガンマ曲線に対応するデータをＲＧＢごとに保持する。第２保持部230は、ローピクセルガンマ曲線に対応するデータをＲＧＢごとに保持する。各データは好ましくは、図5に示されている保持部と同様に、ルックアップテーブルの形態で保持されている。特に第２保持部230に保持されたルックアップテーブルは、図5に示されている第２保持部124に保持されたルックアップテーブルと同様に、「ＲＧＢの各ローピクセルガンマ曲線が低輝度領域で同一であること」を示している。その結果、低輝度領域ではローピクセルの透過率（輝度）が、図6に示されているようにＲＧＢ間で同一である。ここで、その低輝度領域では好ましくは、図6に示されているように、ローピクセルの透過率が約0.1以下であり、すなわちローピクセルの輝度が最高値の約10％以下である。
【００３６】
タイミング制御部250は、図5に示されているタイミング制御部と同様に、外部のグラフィックコントローラ（図示せず）から第１画像信号R、G、Bと第１タイミング信号S1とを受信する。タイミング制御部250は更に、図5に示されているタイミング制御部とは異なり、第１画像信号R、G、Bから一組の画像データR’、G’、B’を生成する。タイミング制御部250は続いて、図5に示されているタイミング制御部と同様に、第２タイミング信号S2を生成し、画像データR’、G’、B’と共にデータ駆動部290に出力する。それらの動作と平行し、タイミング制御部250は第３タイミング信号S31と第４タイミング信号S32との対を生成し、それぞれを第１ゲート駆動部270と第２ゲート駆動部280とに出力する。第３タイミング信号S31と第４タイミング信号S32とはそれぞれ、ゲートクロック及び垂直開始信号を含む。
【００３７】
スイッチング部260は、タイミング制御部250に従い、第１保持部220によって保持されたハイピクセルガンマ曲線に対応するデータと、第２保持部230によって保持されたローピクセルガンマ曲線に対応するデータとを交互に、データ駆動部290に出力する。
【００３８】
第１ゲート駆動部270は、第３タイミング信号S31に従い、奇数番目のゲートラインにゲート信号G1、G3、…、Gq−3、Gq−1を順番に出力する。第２ゲート駆動部280は、第４タイミング信号S32に従い、偶数番目のゲートラインにゲート信号G2、G4、…、Gq−2、Gqを順番に出力する。ここで、二つのゲート駆動部270、280の間ではいずれのゲート信号も異なる期間にゲートオン電圧を示すように、第３タイミング信号S31と第４タイミング信号S32との対が調節される。
【００３９】
データ駆動部290は、第２タイミング信号S2に従い、スイッチング部260からハイピクセルガンマ曲線及びローピクセルガンマ曲線のそれぞれに対応するデータを交互に受信する。データ駆動部290は更に、受信されたデータを用い、タイミング制御部250から提供される画像データR’、G’、B’を補正する。データ駆動部290は続いて、補正された画像データR’、G’、B’をデータ電圧D1、D2、…、Dpに変換する。データ電圧D1、D2、…、Dpは液晶表示パネル210のp本のデータラインのそれぞれに出力される。特に、ハイピクセルガンマ曲線に対応するデータを用いた補正で得られたデータ電圧は、第１ゲート駆動部270によって奇数番目のゲートラインがアクティブにされている期間に出力され、ローピクセルガンマ曲線に対応するデータを用いた補正で得られたデータ電圧は、第２ゲート駆動部280によって偶数番目のゲートラインがアクティブにされている期間に出力される。隣接する二本のデータライン間、又は連続する二つのフレーム間では好ましくは、共通電圧Vcomに対するデータ電圧D1、D2、…、Dpの極性が反転する。
【００４０】
液晶表示装置200は好ましくは、電源部（図示せず）を更に有する。その場合、タイミング制御部250は更に別のタイミング信号（図示せず）を生成する。電源部はそのタイミング信号に従い、ゲートオン電圧及びゲートオフ電圧を第１ゲート駆動部270及び第２ゲート駆動部280に提供する。電源部は更に、ゲート信号G1、G2、…、Gq−1、Gqに同期して共通電圧Vcomを液晶表示パネル210の各液晶キャパシタClch、Clclに対して印加する。
【００４１】
以上、本発明の好適な実施例について詳細に説明した。しかし、本発明の実施例は上記のものには限定されない。本発明が属する技術分野において通常の知識を有する者であれば、本発明の思想と精神とを離脱することなく、上記の実施例を修正し、または変更できるであろう。
【図面の簡単な説明】
【００４２】
【図１】従来のＳＰＶＡモード液晶表示装置の画素について、指定された階調値と画面の正面方向で観測される色座標値との間の関係を示すグラフ
【図２】従来のＳＰＶＡモード液晶表示装置の画素について、指定された階調値と画面の側方で観測される色座標値との間の関係を示すグラフ
【図３】従来のＳＰＶＡモード液晶表示装置で利用されている二種類のガンマ曲線群を示すグラフ
【図４】図3に示されているガンマ曲線群を、透過率0.1以下の領域で拡大した図
【図５】本発明の一実施例による液晶表示装置のブロック図
【図６】本発明の一実施例による液晶表示装置によって利用されるガンマ曲線群を、透過率0.1以下の領域で拡大して示した図
【図７】本発明の一実施例による液晶表示装置の画素について、指定された階調値と画面の側方で観測される色座標値との間の関係を示すグラフ
【図８】本発明の一実施例による液晶表示装置で利用される標準のガンマ曲線を示すグラフ
【図９】本発明の一実施例による液晶表示装置で利用される、目標のハイピクセルガンマ曲線、ローピクセルガンマ曲線、及び画面の正面方向でのガンマ曲線を示すグラフ
【図１０】本発明の一実施例による液晶表示装置について、目標のハイピクセルガンマ曲線、ローピクセルガンマ曲線、及び標準のガンマ曲線を用い、指定された階調値と、ルックアップテーブルに記録されるべき階調値との間の関係を示すグラフ
【図１１】図10に示されている関係から設定されたルックアップテーブルの一例を示す表
【図１２】本発明の他の実施例による液晶表示装置のブロック図
【符号の説明】
【００４３】
100、200    液晶表示装置
110、210    液晶表示パネル
120    保持部
122、220    第１保持部
124、230    第２保持部
130、250    タイミング制御部
140、270、280    ゲート駆動部
150、290    データ駆動部
260    タイミング制御部
【図１】
2007226242.tif 000006
【図２】
2007226242.tif 000007
【図３】
2007226242.tif 000008
【図４】
2007226242.tif 000009
【図５】
2007226242.tif 000010
【図６】
2007226242.tif 000011
【図７】
2007226242.tif 000012
【図８】
2007226242.tif 000013
【図９】
2007226242.tif 000014
【図１０】
2007226242.tif 000015
【図１１】
2007226242.tif 000016
【図１２】
2007226242.tif 000017